(57)【要約】【課題】電源遮断時の電源の立ち下がりをより適正に行なう。【解決手段】ＤＣ／ＤＣコンバーター７６を、４２Ｖ電源ライン７２に接続されたＭＯＳＦＥＴＱ１と、グランドに接地されると共にＭＯＳＦＥＴＱ１に接続されたＭＯＳＦＥＴＱ２と、ＭＯＳＦＥＴＱ２に逆並列接続されたダイオードＤ１と、ＭＯＳＦＥＴＱ１とＭＯＳＦＥＴＱ２との接続点に接続されたリアクトルＬ１とを備える同期整流降圧回路として構成し、コンデンサーＣ１を放電する放電回路７７を、４２Ｖ電源ライン７２に接続されたダイオードＤ２と、抵抗Ｒ１と、抵抗Ｒ１とグランド端子とに接続されたコンデンサーＣ２と、ダイオードＤ２と抵抗Ｒ１との間の継断と抵抗Ｒ１とコンデンサーＣ２との接続点Ｖ１とＭＯＳＦＥＴＱ２のゲート（Ｇ）との間の継断を行なうオンオフスイッチＳＷ１と、接続点Ｖ１とグランド端子との間を継断するオンオフスイッチＳＷ２と、により構成する。【選択図】図３
2013240199.tif 000002
【特許請求の範囲】
【請求項１】
第１の半導体スイッチとダイオードが逆並列接続された第２の半導体スイッチとを直列接続した直列回路を直流電源の端子間に接続すると共に前記第１および第２の半導体スイッチの接続点と前記直流電源のグランド端子との間にリアクトルと第１のコンデンサーとを直列接続してなる同期整流型降圧コンバーター回路を備え、前記直流電源の電圧を前記同期整流型降圧コンバーター回路により降圧してデバイスに供給する電源回路であって、
前記直流電源の端子間に接続されると共に互いに直列接続されたダイオードおよび抵抗並びに第２のコンデンサーと、
前記ダイオードおよび前記抵抗並びに前記第２のコンデンサーの直列接続を継断すると共に前記抵抗および前記第２のコンデンサーの接続点と前記第２の半導体スイッチの制御端子との接続を継断する第１の継断手段と、
を備え、
電源遮断の際には、前記第１の継断手段を接続状態とすることにより前記第１のコンデンサーの電荷を放電する
ことを特徴とする電源回路。
【請求項２】
請求項１記載の電源回路であって、
前記抵抗および前記第２のコンデンサーの接続点と前記直流電源のグランド端子との接続を継断する第２の継断手段を備え、
前記第１のコンデンサーの電荷を放電した後に、前記第１の継断手段を遮断状態とすると共に前記第２の継断手段を接続状態とすることにより前記第２のコンデンサーの電荷を放電する
ことを特徴とする電源回路。
【発明の詳細な説明】
【技術分野】
【０００１】
本発明は、第１の半導体スイッチとダイオードが逆並列接続された第２の半導体スイッチとを直列接続した直列回路を直流電源の端子間に接続すると共に前記第１および第２の半導体スイッチの接続点と前記直流電源のグランド端子との間にリアクトルと第１のコンデンサーとを直列接続してなる同期整流型降圧コンバーター回路を備え、前記直流電源の電圧を前記同期整流型降圧コンバーター回路により降圧してデバイスに供給する電源回路に関する。
【背景技術】
【０００２】
従来、この種の電源回路としては、入力電圧を降圧する降圧型のＤＣ／ＤＣコンバーターと、ＤＣ／ＤＣコンバーターの出力端子に接続されたコンデンサーと、コンデンサーの電荷をスイッチ素子によって放電する放電回路とを備えるものが提案されている（例えば、特許文献１参照）。この電源回路では、放電回路を、スイッチ素子と、抵抗と、スイッチ素子および抵抗の接続点の電位を検出するレベル変換回路とにより構成し、ＤＣ／ＤＣコンバーターの動作停止時にスイッチ素子を導通させることによりコンデンサーの電荷を抵抗で消費することにより放電している。
【先行技術文献】
【特許文献】
【０００３】
【特許文献１】特開２００７−１０４８８３号公報
【発明の概要】
【発明が解決しようとする課題】
【０００４】
ところで、電源回路から複数の電源を入力するデバイス（例えば、システムオンチップＳＯＣなどのプロセッサー）では、複数の電源について電源の立ち上がり，立ち下がりの電圧や時間に制約が課せられている場合が多い。こうしたデバイスに供給する電源としては、必要な時に出来る限り瞬時に立ち上がり不要なときに出来る限り瞬時に立ち下がるものが望ましい。しかしながら、特許文献１の電源回路では、コンデンサーの電荷を抵抗によって放電しているに過ぎないため、電圧の立ち下がりは十分にコントロールすることができない。
【０００５】
本発明の電源回路は、電源遮断時に電源電圧をより適切に立ち下げる放電回路を提供することを主目的とする。
【０００６】
本発明の電源回路は、上述の主目的を達成するために以下の手段を採った。
【課題を解決するための手段】
【０００７】
本発明の電気機器は、
第１の半導体スイッチとダイオードが逆並列接続された第２の半導体スイッチとを直列接続した直列回路を直流電源の端子間に接続すると共に前記第１および第２の半導体スイッチの接続点と前記直流電源のグランド端子との間にリアクトルと第１のコンデンサーとを直列接続してなる同期整流型降圧コンバーター回路を備え、前記直流電源の電圧を前記同期整流型降圧コンバーター回路により降圧してデバイスに供給する電源回路であって、
前記直流電源の端子間に接続されると共に互いに直列接続されたダイオードおよび抵抗並びに第２のコンデンサーと、
前記ダイオードおよび前記抵抗並びに前記第２のコンデンサーの直列接続を継断すると共に前記抵抗および前記第２のコンデンサーの接続点と前記第２の半導体スイッチの制御端子との接続を継断する第１の継断手段と、
を備え、
電源遮断の際には、前記第１の継断手段を接続状態とすることにより前記第１のコンデンサーの電荷を放電する
ことを要旨とする。
【０００８】
この本発明の電源回路では、第１の半導体スイッチとダイオードが逆並列接続された第２の半導体スイッチとを直列接続した直列回路を直流電源の端子間に接続すると共に第１および第２の半導体スイッチの接続点と直流電源のグランド端子との間にリアクトルと第１のコンデンサーとを直列接続してなる同期整流型降圧コンバーター回路を備え、直流電源の電圧を同期整流型降圧コンバーター回路により降圧してデバイスに供給するものにおいて、直流電源の端子間にダイオードと抵抗と第２のコンデンサーとを直列接続し、ダイオードおよび抵抗並びに第２のコンデンサーの直列接続を継断すると共に抵抗および第２のコンデンサーの接続点と第２の半導体スイッチの制御端子との接続を継断する第１の継断手段を設け、電源遮断の際には、第１の継断手段を接続状態とすることにより第１のコンデンサーの電荷を放電する。第１のコンデンサーの電圧は抵抗の抵抗値と第２のコンデンサーの静電容量とに基づく時定数をもって立ち下がるから、抵抗値や静電容量を適宜選択することで、電源遮断時に電源電圧をより適切に立ち下げることができる。また、第１のコンデンサーの電荷を同期整流型降圧コンバーター回路の第２の半導体スイッチで消費させることで放電することができる。ここで、「半導体スイッチ」は、ＭＯＳＦＥＴが含まれる。
【０００９】
こうした本発明の電源回路において、前記抵抗および前記第２のコンデンサーの接続点と前記直流電源のグランド端子との接続を継断する第２の継断手段を備え、前記第１のコンデンサーの電荷を放電した後に、前記第１の継断手段を遮断状態とすると共に前記第２の継断手段を接続状態とすることにより前記第２のコンデンサーの電荷を放電するものとすることもできる。こうすれば、第１のコンデンサーの電荷を放電した後に、第２のコンデンサーの電荷を適切に放電することができる。
【図面の簡単な説明】
【００１０】
【図１】本発明の一実施形態であるプリンター２０の外観を示す外観斜視図。
【図２】本実施形態のプリンター２０の機能ブロックを示すブロック図。
【図３】電源回路７０の構成の概略を示す構成図。
【図４】実施例におけるコンデンサーＣ１，Ｃ３の状態の時間変化の様子。
【図５】比較例におけるコンデンサーＣ１，Ｃ３の状態の時間変化の様子。
【発明を実施するための形態】
【００１１】
次に、本発明の実施の形態を図面に基づいて説明する。図１は、本発明の一実施形態であるプリンター２０の外観を示す外観斜視図であり、図２は、本実施形態のプリンター２０の機能ブロックを示すブロック図であり、図３は、電源回路７０の構成の概略を示す構成図である。
【００１２】
本実施形態のプリンター２０は、印刷機構４０（図２参照）を内蔵し、Ｌ版サイズの用紙に印刷を行なうフォトプリンターとして構成されている。プリンター２０の外観としては、図１に示すように、本体２１の上面には本体２１を持ち運ぶための取っ手２２が、本体２１の背面にはセットした用紙を自動給紙するオートシートフィーダー２３が、本体２１の側面には電源をオンオフするための電源ボタン２６が、それぞれ設けられている。本体２１の前面には印刷機構４０により印刷された用紙を保持する排紙トレイ２４と写真や印刷時の設定を確認するための液晶ディスプレイ（ＬＣＤ）２５とが設けられている。また、本体２１の前面には排紙トレイ２４に隣接した位置に赤外線通信ポート２８（受光部）も設けられており、この赤外線通信ポート２８に発光部３０ａを向けてリモートコントロール装置３０を操作することにより、プリンター２０を遠隔操作できるようになっている。なお、リモートコントロール装置３０は、プリンター２０を遠隔操作するためのボタン類として、電源をオンオフするための電源ボタン３１と、印刷中に押されると印刷を中止し写真選択画面で押されると印刷枚数や写真の選択を解除するストップ／設定クリアボタン３２と、トップメニュー画面を表示するためのトップメニューボタン３３と、印刷枚数を設定するための印刷枚数設定ボタン（印刷枚数を１枚ずつ増やすプラスボタンおよび印刷枚数を１枚ずつ減らすマイナスボタン）３４と、項目や設定値を選択するための上下左右ボタン３５と、項目を決定したり次の画面に進むためのＯＫボタン３６と、一つ前の画面に戻る戻るボタン３７と、印刷を開始する印刷ボタン３８と、設定画面を表示する設定ボタン３９などを備える。
【００１３】
印刷機構４０は、図２に示すように、左右方向（主走査方向）にループ状に架け渡されたキャリッジベルト４３により駆動されガイド４２に沿って左右に往復するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから用紙Ｓに向けてインクを吐出する印刷ヘッド４５と、キャリッジ４１を主走査方向に往復動させるキャリッジモーター４６と、副走査方向に用紙Ｓを搬送する搬送ローラー４８とを備える。インクカートリッジ４４は、印刷機構４０の下方に取り付けられており、インクカートリッジ４４がキャリッジ４１上に搭載されていない、いわゆるオフキャリッジタイプである。印刷ヘッド４５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。
【００１４】
ＬＣＤ２５は、ＬＣＤコントローラー５４による表示制御を受けて文字や図形，記号などを表示する。ＬＣＤ２５は、本実施形態では、本実施形態では、８００×４８０ピクセルの解像度により構成されている。
【００１５】
また、本実施形態のプリンター２０は、その制御系としては、図２に示すように、プリンター全体の制御を司るメインコントローラー６０と、印刷機構４０を制御するプリンターＡＳＩＣ４９と、赤外線通信ポート２８を介して入力した赤外線信号を操作信号として処理する赤外線通信コントローラー５２と、ＬＣＤ２５を表示制御するＬＣＤコントローラー５４と、メモリーカードスロット５６に挿入されたメモリーカードＭＣに対するデータの書き込みや読み出しを制御するメモリーカードコントローラー５８と、装置全体の電源の供給を管理する電源回路７０と、を備え、これらはバス５９を介して互いに電気的に接続されている。本実施形態では、メインコントローラー６０とメモリーカードコントローラー５８とプリンターＡＳＩＣ４９は、これらが１チップ上に集積されたシステムオンチップ（以下、ＳＯＣという）６８として構成されており（図３参照）、電源回路７０から３．３ＶのＩＯ電源と１．０５Ｖのコア電源と１．８ＶのＲＡＭ電源（図示せず）とを受けて動作する。
【００１６】
メインコントローラー６０は、ＣＰＵ６１を中心とするマイクロプロセッサーとして構成されており、各種処理プログラムや各種データ、各種テーブルなどを記憶するＲＯＭ６２と、一時的にデータを記憶するＲＡＭ６３と、書き換え可能で電源を切ってもデータは保持されるＥＥＰＲＯＭ６４と、電源ボタン２６からの操作信号を入力するインターフェース（Ｉ／Ｆ）６５と、を備える。このメインコントローラー６０には、メモリーカードスロット５６に挿入されたメモリーカードＭＣから画像ファイルなどを入力したり、赤外線通信コントローラー５２からの操作信号などの印刷機構４０の各部からの検出信号などを入力する。また、メインコントローラー６０からは、プリンターＡＳＩＣ４９への指令信号やＬＣＤコントローラー５４への制御信号などを出力する。
【００１７】
電源回路７０は、交流電源（例えば、１００Ｖ）を直流電源（例えば、４２Ｖ直流電源）に変換するＡＣアダプター８０を介して商用電源に接続されており、ＡＣアダプター８０からの直流電源を所望の電圧に変換して各部に供給する。なお、ＡＣアダプター８０は、商用電源から入力された交流電圧の整流と平滑とを行ない、整流された直流電圧をスイッチング素子のスイッチングにより交流電圧に変換すると共に変換した交流電圧を降圧し、降圧された交流電圧の整流と平滑とを行なうスイッチング電源として構成されている。このＡＣアダプター８０は、電源ケーブル８１の端子が本体２１の電源コネクター７１に差し込まれると、電源ケーブル８１を介して本体２１側に４２Ｖ直流電源を出力する。
【００１８】
また、電源回路７０は、図３に示すように、ＡＣアダプター８０からの４２Ｖ直流電源が供給される４２Ｖ電源ライン７２と、３．３Ｖ直流電源が供給される３．３Ｖ電源ライン７３と、１．０５Ｖ直流電源が供給される１．０５Ｖ電源ライン７４と、４２Ｖ電源ライン７２に取り付けられたスイッチ回路（ソフトスタート回路）７５と、４２Ｖ電源ライン７２に接続され電源遮断時に所定のバックアップ処理を行なうための電荷を蓄えるバックアップ用のコンデンサーＣ０と、４２Ｖ直流電源の電圧を変換して３．３Ｖ電源ライン７３に出力するＤＣ／ＤＣコンバーター７６と、ＤＣ／ＤＣコンバーター７６の出力端子（３．３Ｖ電源ライン７３）に接続された平滑用のコンデンサーＣ１と、電源遮断時にコンデンサーＣ１の電荷を放電するための放電回路７７と、３．３Ｖ直流電源の電圧を変換して１．０５Ｖ電源ライン７４に出力するＤＣ／ＤＣコンバーター７８と、ＤＣ／ＤＣコンバーター７８の出力端子（１．０５Ｖ電源ライン７４）に接続された平滑用のコンデンサーＣ３と、電源遮断時にコンデンサーＣ３の電荷を放電するための放電回路７９と、を備える。４２Ｖ電源ライン７２には印刷ヘッド４５を駆動するヘッドドライバー４５ａやキャリッジモーター４６を駆動するモータードライバー４６ａ，搬送ローラー４８（搬送モーター）を駆動するモータードライバー４８ａなどのパワーデバイスが接続されており、各パワーデバイスは４２Ｖ電源ライン７２から４２Ｖ直流電源の供給を受けて作動する。また、３．３Ｖ電源ライン７３にはＳＯＣ６８のＩＯ電源用のＶｃｃ１端子が接続されると共に１．０５電源ライン７４にはＳＯＣ６８のコア電源用のＶｃｃ２端子が接続され、また図示しない１．８Ｖ電源ラインにはＳＯＣ６８のＲＡＭ電源用のＶｃｃ３端子が接続されており、ＳＯＣ６８は３．３Ｖ電源ライン７３と１．０５Ｖ電源ライン７４と図示しない１．８Ｖ電源ラインとからそれぞれＩＯ電源とコア電源とＲＡＭ電源の供給を受けて作動する。
【００１９】
ＤＣ／ＤＣコンバーター７６は、同期整流降圧型コンバーターとして構成されており、４２Ｖ電源ライン７２にソース（Ｓ）が接続されたＰチャネル型のＭＯＳＦＥＴＱ１と、グランド端子にソース（Ｓ）が接続されると共にＭＯＳＦＥＴＱ１のドレイン（Ｄ）にドレイン（Ｄ）が接続されたＮチャネル型ＭＯＳＦＥＴＱ２と、ＭＯＳＦＥＴＱ２に逆並列接続されたダイオードＤ１と、ＭＯＳＦＥＴＱ１とＭＯＳＦＥＴＱ２との接続点に接続されたリアクトルＬ１と、を備える。なお、ＤＣ／ＤＣコンバーター７６は、降圧コンバーターとしては、ＭＯＳＦＥＴＱ２を備えない回路でも正常に動作するが、ダイオードＤ１の電力消費が比較的大きいため、本実施形態では、ダイオードＤ１の導通と共にＭＯＳＦＥＴＱ２を導通させることで、コンバーター回路の効率を向上させている。なお、ＤＣ／ＤＣコンバーター７８は、ＤＣ／ＤＣコンバーター７６と同様に構成されているため、各構成部材についてはＤＣ／ＤＣコンバーター７６と同一の符号を使用し、その詳細な説明については重複するから省略する。
【００２０】
放電回路７７は、４２Ｖ電源ライン７２にアノード（Ａ）が接続されたダイオードＤ２と、抵抗Ｒ１と、抵抗Ｒ１とグランド端子との間に接続されたコンデンサーＣ２と、ダイオードＤ２のカソード（Ｋ）と抵抗Ｒ１との間の接続および遮断と抵抗Ｒ１とコンデンサーＣ２との接続点Ｖ１とＭＯＳＦＥＴＱ２のゲート（Ｇ）との間の接続および遮断とを機械的に連動して行なうオンオフスイッチＳＷ１と、接続点Ｖ１とグランド端子との接続および遮断を行なうオンオフスイッチＳＷ２と、を備える。なお、放電回路７９は、放電回路７７と同様に構成されているため、各構成部材については放電回路７７と同一の符号を使用し、その詳細な説明については重複するから省略する。
【００２１】
次に、こうして構成された実施形態のプリンター２０の動作、特に、電源遮断時の電源回路７０の動作について説明する。図４は、放電回路７７，７９を備える実施例における４２Ｖ電源ライン７２の状態（入力電圧Ｖｉｎ）とコンデンサーＣ１，Ｃ３の状態とオンオフスイッチＳＷ１，ＳＷ２の状態とＭＯＳＦＥＴＱ１，Ｑ２の状態の時間変化の様子を示す説明図であり、図５は、放電回路７７，７９を備えない比較例におけるコンデンサーＣ１，Ｃ３の状態の時間変化の様子を示す説明図である。ユーザーによる電源ボタン２６の押下によって電源遮断が指示されると、スイッチ回路７５によりＡＣアダプター８０と４２Ｖ電源ライン７２とが電気的に切り離され、入力電圧Ｖｉｎ（コンデンサーＣ０の電圧）は時間の経過と共に徐々に低下する。コンデンサーＣ０の電圧が閾値ＮＭＩ（例えば３７Ｖ）以下に低下すると（時刻ｔ１）、ＳＯＣ６８はバックアップ処理を開始する。バックアップ処理が終了すると（時刻ｔ２）、１．０５Ｖ用のコンデンサーＣ３に蓄えられている電荷の放電を開始し、コンデンサーＣ３の放電が終了した後には（時刻ｔ３）、３．３Ｖ用のコンデンサーＣ１に蓄えられている電荷の放電を開始する。ここで、コンデンサーＣ１の放電は、放電回路７７のオンオフスイッチＳＷ１をオンとしてコンデンサーＣ２を充電することにより行なう。即ち、コンデンサーＣ２が充電されると、コンデンサーＣ２の電圧がゲート電圧としてＤＣ／ＤＣコンバーター７６のＭＯＳＦＥＴＱ２のゲート（Ｇ）に作用するため、ＭＯＳＦＥＴＱ２がオンされる。これにより、コンデンサーＣ１の電荷はリアクトルＬ１を介してＭＯＳＦＥＴＱ２のドレイン−ソース間に流れ、ＭＯＳＦＥＴＱ２で消費されることで放電される。このとき、ゲート電圧はオンオフスイッチＳＷ１がオンされてから抵抗Ｒ１とコンデンサーＣ２からなるＲＣ回路の時定数τ（＝抵抗値Ｒ×静電容量Ｃ）をもって上昇するから、コンデンサーＣ１の電圧は時定数τをもって徐々に立ち下がる。したがって、ＭＯＳＦＥＴＱ２などのパワートランジスターの過負荷を抑制しながら、コンデンサーＣ１の電荷を放電させることができる。なお、コンデンサーＣ３の放電も、放電回路７９によってコンデンサーＣ１の放電と同様に行なうことができ、放電回路７９におけるＲＣ回路の時定数τをもってコンデンサーＣ３の電圧を徐々に立ち下げることができる。こうしたコンデンサー電圧の立ち下がりの傾きは、抵抗Ｒ１の抵抗値ＲとコンデンサーＣ２の静電容量Ｃを適宜選択するだけで自由に調整することができる。なお、コンデンサーＣ３の放電が完了した後には（時刻ｔ３）、放電回路７９におけるオンオフスイッチＳＷ１をオフとすると共にオンオフスイッチＳＷ２をオンし、放電回路７９のコンデンサーＣ２の電荷を放電する。また、コンデンサーＣ１の放電が完了した後には（時刻ｔ４）、放電回路７７におけるオンオフスイッチＳＷ１をオフとすると共にオンオフスイッチＳＷ２をオンし、放電回路７７のコンデンサーＣ２の電荷を放電する。一方、図５の比較例では、放電回路７７，７９を備えないため、コンデンサーＣ１，Ｃ３はＤＣ／ＤＣコンバーター７６，７８が停止した後に電圧低下を開始し、電圧低下の傾きも緩やかなも���となる。
【００２２】
ここで、本実施形態の構成要素と本発明の構成要素との対応関係を明らかにする。本実施形態のＭＯＳＦＥＴＱ１が本発明の「第１の半導体スイッチ」に相当し、ＭＯＳＦＥＴＱ２が「第２の半導体スイッチ」に相当し、リアクトルＬ１が「リアクトル」に相当し、コンデンサーＣ１が「第１のコンデンサー」に相当し、ダイオードＤ２が「ダイオード」に相当し、抵抗Ｒ１が「抵抗」に相当し、コンデンサーＣ２が「第２のコンデンサー」に相当し、オンオフスイッチＳＷ１が「第１のスイッチ」に相当する。また、オンオフスイッチＳＷ２が「第２のスイッチ」に相当する。
【００２３】
以上説明した本実施形態のプリンター２０によれば、４２Ｖ直流電源を降圧してＳＯＣ６８に供給するＤＣ／ＤＣコンバーター７６，７８を、４２Ｖ電源ライン７２に接続されたＭＯＳＦＥＴＱ１と、グランド端子に接続されると共にＭＯＳＦＥＴＱ１に接続されたＭＯＳＦＥＴＱ２と、ＭＯＳＦＥＴＱ２に逆並列接続されたダイオードＤ１と、ＭＯＳＦＥＴＱ１とＭＯＳＦＥＴＱ２との接続点に接続されたリアクトルＬ１とを備える同期整流降圧型コンバーターとして構成し、コンデンサーＣ１，Ｃ３に蓄えられている電荷を放電するための放電回路７７，７９を、４２Ｖ電源ライン７２に接続されたダイオードＤ２と、抵抗Ｒ１と、抵抗Ｒ１とグランド端子との間に接続されたコンデンサーＣ２と、ダイオードＤ２と抵抗Ｒ１との間の接続および遮断と抵抗Ｒ１とコンデンサーＣ２との接続点Ｖ１とＭＯＳＦＥＴＱ２のゲート（Ｇ）との間の接続および遮断とを行なうオンオフスイッチＳＷ１と、接続点Ｖ１とグランド端子との接続および遮断を行なうオンオフスイッチＳＷ２と、により構成し、コンデンサーＣ１，Ｃ３の放電を、放電回路７７，７９のオンオフスイッチＳＷ１をオンとしてコンデンサーＣ２を充電することでコンデンサーＣ２の電圧をゲート電圧としてＤＣ／ＤＣコンバーター７６，７８のＭＯＳＦＥＴＱ２のゲート（Ｇ）に作用させることにより行なう。これにより、ゲート電圧は抵抗Ｒ１とコンデンサーＣ２からなるＲＣ回路の時定数τ（＝抵抗値Ｒ×静電容量Ｃ）をもって上昇するから、コンデンサーＣ１，Ｃ３の電圧を時定数τをもって徐々に立ち下げることができる。この結果、ＭＯＳＦＥＴＱ２などのパワートランジスターの過負荷を抑制しながら、コンデンサーＣ１，Ｃ３の電荷を放電させることができる。しかも、コンデンサー電圧の立ち下がりの傾きは、抵抗Ｒ１の抵抗値ＲとコンデンサーＣ２の静電容量Ｃとを適宜選択することにより、自由に調整することができる。また、コンデンサーＣ１，Ｃ３の放電はＤＣ／ＤＣコンバーター７６，７８のＭＯＳＦＥＴＱ２で電力消費させることにより行なうから、コンデンサーＣ１，Ｃ３を放電させるために新たなパワー素子（ＭＯＳＦＥＴ）を追加する必要がない。
【００２４】
上述した実施形態では、ＤＣ／ＤＣコンバーター７６のスイッチング素子としてＭＯＳＦＥＴＱ１，Ｑ２を用いるものとしたが、これに限られず、バイポーラトランジスターなど他の半導体スイッチを用いるものとしてもよい。
【００２５】
上述した実施形態では、オンオフスイッチＳＷ１はダイオードＤ２のカソード（Ｋ）と抵抗Ｒ１との間の接続および遮断と抵抗Ｒ１とコンデンサーＣ２との接続点Ｖ１とＭＯＳＦＥＴＱ２のゲート（Ｇ）との間の接続および遮断とを機械的に連動して行なうものとしたが、これに限られるものではなく、機械的に連動している必要はなく、ＳＯＣ６８から別々の制御信号によりオンオフするものとしてもよい。
【００２６】
上述した実施形態では、オンオフスイッチＳＷ２によりコンデンサーＣ２の電荷を直接にグランドに放電するものとしたが、抵抗を介して放電するものとしてもよい。
【００２７】
上述した実施形態では、本発明をＤＣ／ＤＣコンバーター７６，７８からの直流電源をＳＯＣ６８に出力するものに適用して説明したが、これに限られず、同期整流降圧型コンバータ回路から直流電源を出力するものであれば、如何なるデバイスに出力するものとしてもよい。
【００２８】
上述した実施形態では、本発明をプリンター２０に適用して説明したが、これに限られず、プリンターとスキャナーとを備えるマルチファンクションプリンターやＦＡＸ機器など、直流電源を降圧して出力する同期整流降圧型コンバーター回路を備える電源回路であれば、如何なる電源回路にも適用できる。
【００２９】
なお、本発明は上述した実施形態に何ら限定されることはなく、本発明の技術的範囲に属する限り種々の態様で実施し得ることはいうまでもない。
【符号の説明】
【００３０】
２０  プリンター、２１  本体、２２  取っ手、２３  オートシートフィーダー、２４  排紙トレイ、２５  液晶ディスプレイ、２６  電源ボタン、２８  赤外線通信ポート、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４５ａ  ヘッドドライバー、４６  キャリッジモーター、４６ａ  モータードライバー、４８  搬送モーター、４８ａ  ヘッドドライバー、４９  プリンターＡＳＩＣ、４９  フレーム、５２  赤外線通信コントローラー、５４  ＬＣＤコントローラー、５６  メモリーカードスロット、５８  メモリーカードコントローラー、６０  メインコントローラー、６１  ＣＰＵ、６２  ＲＯＭ、６３  ＲＡＭ、６４  ＥＥＰＲＯＭ、６５  インターフェース（Ｉ／Ｆ）、７０  電源回路、７１  電源コネクター、７２  ４２Ｖ電源ライン、７３  ３．３Ｖ電源ライン、７４  １．０５Ｖ電源ライン、７５  スイッチ回路、７６，７８  ＤＣ／ＤＣコンバーター、７７，７９  放電回路、８０  ＡＣアダプター、８１  電源ケーブル、Ｒ１  抵抗、Ｃ０〜Ｃ３  コンデンサー、Ｄ１，Ｄ２  ダイオード、Ｑ１，Ｑ２  ＭＯＳＦＥＴ、Ｓ  用紙、Ｍ  メモリーカード。
【図１】
2013240199.tif 000003
【図２】
2013240199.tif 000004
【図３】
2013240199.tif 000005
【図４】
2013240199.tif 000006
【図５】
2013240199.tif 000007